(57)【要約】  ＵＥが、基地局から送信されたパケットを完全には復号しないとき、ＵＥは基地局にＡＣＫ／ＮＡＣＫを送り得、その上で、基地局は、ＡＣＫ／ＮＡＣＫに基づいてパケットを再送信し得る。しかしながら、ＡＣＫ／ＮＡＣＫは、パケットを完全に復号するためにＵＥによって必要とされる情報を基地局に与えることができない。したがって、ワイヤレス通信のための方法、装置、およびコンピュータプログラム製品が提供される。本装置は、基地局から、第１のＭＣＳを有するパケットを受信し、基地局に与えるべき情報を決定し、ここで、該情報は、受信されたパケットのために割り振られた時間周波数リソースに対応するチャネル状態および／または干渉状態に関係するＣＱＩを備え、該情報を基地局に送る。その後、本装置は基地局からパケットを再受信し、再受信されたパケットは、基地局に送られた情報に従って第２のＭＣＳを有する。
2015525024.tif 000002
【特許請求の範囲】
【請求項１】
基地局からパケットを受信することと、前記パケットは第１の変調およびコーディング方式（ＭＣＳ）を有し、
前記基地局に与えるべき情報を決定することと、ここで、前記情報は、前記受信されたパケットのために割り振られた時間周波数リソースに対応するチャネル状態または干渉状態のうちの少なくとも１つに関係するチャネル品質情報（ＣＱＩ）を備え、
前記基地局に前記情報を送ることと、
を備える、ワイヤレス通信の方法。
【請求項２】
前記パケットを復号することを試みることをさらに備える、請求項１に記載の方法。
【請求項３】
前記復号の試み中に前記パケットの全体が復号されたとき、前記基地局に肯定応答（ＡＣＫ）を送ることをさらに備える、請求項２に記載の方法。
【請求項４】
前記復号の試み中に前記パケットの全体が復号されないとき、前記基地局に否定応答（ＮＡＣＫ）を送ることをさらに備える、請求項２に記載の方法。
【請求項５】
前記情報は、前記復号の試み中に復号された前記パケットの量をさらに備える、請求項４に記載の方法。
【請求項６】
前記基地局から前記パケットを再受信することをさらに備え、前記再受信されたパケットは、前記基地局に送られた前記情報に従って第２のＭＣＳを有する、請求項１に記載の方法。
【請求項７】
前記情報は、前記パケットまたは前に受信されたパケットが受信された１つまたは複数の時間周波数リソースに関係する、請求項１に記載の方法。
【請求項８】
前記情報は、干渉が予想される１つまたは複数のサブフレームに関係する、請求項１に記載の方法。
【請求項９】
前記基地局から、前記情報の前記決定することおよび送ることをイネーブルまたはディセーブルにするための信号を受信することをさらに備える、請求項１に記載の方法。
【請求項１０】
前記信号はユーザ機器（ＵＥ）固有信号またはセル固有信号のうちの少なくとも１つである、請求項９に記載の方法。
【請求項１１】
前記ＵＥ固有信号はダウンリンク許可である、請求項１０に記載の方法。
【請求項１２】
前記受信された信号は、前記情報の前記決定することおよび送ることを動的にイネーブルまたはディセーブルにする、請求項９に記載の方法。
【請求項１３】
前記情報を前記送ることは、前記パケットが正常に復号された場合に動的にディセーブルにされる、請求項２に記載の方法。
【請求項１４】
前記情報は、肯定応答／否定応答（ＡＣＫ／ＮＡＣＫ）フィードバックを送るために割り振られたアップリンク時間周波数リソース上で前記基地局に送られる、請求項１に記載の方法。
【請求項１５】
前記情報は、サブバンドのために構成された通常ＣＱＩ報告に加えて送られる、請求項１に記載の方法。
【請求項１６】
ユーザ機器（ＵＥ）にパケットを送信することと、前記パケットは第１の変調およびコーディング方式（ＭＣＳ）を有し、
前記ＵＥから情報を受信することと、ここで、前記情報は、前記送信されたパケットのために割り振られた時間周波数リソースに対応するチャネル状態または干渉状態のうちの少なくとも１つに関係するチャネル品質情報（ＣＱＩ）を備え、
前記受信された情報に従って第２のＭＣＳを有するように前記パケットを最適化することと、
前記ＵＥに前記最適化されたパケットを再送信することと、
を備える、ワイヤレス通信の方法。
【請求項１７】
前記情報は、前記ＵＥにおいて復号された前記パケットの量をさらに備える、請求項１６に記載の方法。
【請求項１８】
前記パケットの全体が前記ＵＥにおいて復号されたとき、前記ＵＥから肯定応答（ＡＣＫ）を受信することをさらに備える、請求項１６に記載の方法。
【請求項１９】
前記パケットの全体が前記ＵＥにおいて復号されないとき、前記ＵＥから否定応答（ＮＡＣＫ）を受信することをさらに備える、請求項１６に記載の方法。
【請求項２０】
前記情報は、前記パケットまたは前に送信されたパケットが送信された１つまたは複数の時間周波数リソースに関係する、請求項１６に記載の方法。
【請求項２１】
前記情報は、干渉が前記ＵＥにおいて予想される１つまたは複数のサブフレームに関係する、請求項１６に記載の方法。
【請求項２２】
前記ＵＥが前記情報を決定することおよび送ることをイネーブルまたはディセーブルにするための信号を前記ＵＥに送信することをさらに備える、請求項１６に記載の方法。
【請求項２３】
前記信号はＵＥ固有信号またはセル固有信号のうちの少なくとも１つである、請求項２２に記載の方法。
【請求項２４】
前記ＵＥ固有信号はダウンリンク許可である、請求項２３に記載の方法。
【請求項２５】
前記送信された信号は、前記ＵＥが前記情報を決定することおよび送ることを動的にイネーブルまたはディセーブルにする、請求項２２に記載の方法。
【請求項２６】
前記情報を前記受信することは、前記パケットが前記ＵＥにおいて正常に復号された場合に動的にディセーブルにされる、請求項１６に記載の方法。
【請求項２７】
前記情報は、肯定応答／否定応答（ＡＣＫ／ＮＡＣＫ）フィードバックを受信するために割り振られたアップリンク時間周波数リソース上で受信される、請求項１６に記載の方法。
【請求項２８】
前記情報は、サブバンドのために構成された通常ＣＱＩ報告に加えて受信される、請求項１６に記載の方法。
【請求項２９】
基地局からパケットを受信するための手段と、前記パケットは第１の変調およびコーディング方式（ＭＣＳ）を有し、
前記基地局に与えるべき情報を決定するための手段と、ここで、前記情報は、前記受信されたパケットのために割り振られた時間周波数リソースに対応するチャネル状態または干渉状態のうちの少なくとも１つに関係するチャネル品質情報（ＣＱＩ）を備え、
前記基地局に前記情報を送るための手段と、
を備える、ワイヤレス通信のための装置。
【請求項３０】
前記パケットを復号することを試みるための手段をさらに備える、請求項２９に記載の装置。
【請求項３１】
前記復号の試み中に前記パケットの全体が復号されたとき、前記基地局に肯定応答（ＡＣＫ）を送るための手段をさらに備える、請求項３０に記載の装置。
【請求項３２】
前記復号の試み中に前記パケットの全体が復号されないとき、前記基地局に否定応答（ＮＡＣＫ）を送るための手段をさらに備える、請求項３０に記載の装置。
【請求項３３】
前記情報は、前記復号の試み中に復号された前記パケットの量をさらに備える、請求項３２に記載の装置。
【請求項３４】
前記基地局から前記パケットを再受信するための手段をさらに備え、前記再受信されたパケットは、前記基地局に送られた前記情報に従って第２のＭＣＳを有する、請求項２９に記載の装置。
【請求項３５】
前記情報は、前記パケットまたは前に受信されたパケットが受信された１つまたは複数の時間周波数リソースに関係する、請求項２９に記載の装置。
【請求項３６】
前記情報は、干渉が予想される１つまたは複数のサブフレームに関係する、請求項２９に記載の装置。
【請求項３７】
前記情報を決定するための手段および前記情報を送るための手段をイネーブルまたはディセーブルにするための信号を、前記基地局から受信するための手段をさらに備える、請求項２９に記載の装置。
【請求項３８】
前記信号はユーザ機器（ＵＥ）固有信号またはセル固有信号のうちの少なくとも１つである、請求項３７に記載の装置。
【請求項３９】
前記ＵＥ固有信号はダウンリンク許可である、請求項３８に記載の装置。
【請求項４０】
前記受信された信号は、前記情報を決定するための手段および前記情報を送るための手段を動的にイネーブルまたはディセーブルにする、請求項３７に記載の装置。
【請求項４１】
前記情報を送るための手段は、前記パケットが正常に復号された場合に動的にディセーブルにされる、請求項３０に記載の装置。
【請求項４２】
前記情報は、肯定応答／否定応答（ＡＣＫ／ＮＡＣＫ）フィードバックを送るために割り振られたアップリンク時間周波数リソース上で前記基地局に送られる、請求項２９に記載の装置。
【請求項４３】
前記情報は、サブバンドのために構成された通常ＣＱＩ報告に加えて送られる、請求項２９に記載の装置。
【請求項４４】
ユーザ機器（ＵＥ）にパケットを送信するための手段と、前記パケットは第１の変調およびコーディング方式（ＭＣＳ）を有し、
前記ＵＥから情報を受信するための手段と、ここで、前記情報は、前記送信されたパケットのために割り振られた時間周波数リソースに対応するチャネル状態または干渉状態のうちの少なくとも１つに関係するチャネル品質情報（ＣＱＩ）を備え、
前記受信された情報に従って第２のＭＣＳを有するように前記パケットを最適化するための手段と、
前記ＵＥに前記最適化されたパケットを再送信するための手段と、
を備える、ワイヤレス通信のための装置。
【請求項４５】
前記情報は、前記ＵＥにおいて復号された前記パケットの量をさらに備える、請求項４４に記載の装置。
【請求項４６】
前記パケットの全体が前記ＵＥにおいて復号されたとき、前記ＵＥから肯定応答（ＡＣＫ）を受信するための手段をさらに備える、請求項４４に記載の装置。
【請求項４７】
前記パケットの全体が前記ＵＥにおいて復号されないとき、前記ＵＥから否定応答（ＮＡＣＫ）を受信するための手段をさらに備える、請求項４４に記載の装置。
【請求項４８】
前記情報は、前記パケットまたは前に送信されたパケットが送信された１つまたは複数の時間周波数リソースに関係する、請求項４４に記載の装置。
【請求項４９】
前記情報は、干渉が前記ＵＥにおいて予想される１つまたは複数のサブフレームに関係する、請求項４４に記載の装置。
【請求項５０】
前記ＵＥが前記情報を決定することおよび送ることをイネーブルまたはディセーブルにするための信号を前記ＵＥに送信するための手段をさらに備える、請求項４４に記載の装置。
【請求項５１】
前記信号はＵＥ固有信号またはセル固有信号のうちの少なくとも１つである、請求項５０に記載の装置。
【請求項５２】
前記ＵＥ固有信号はダウンリンク許可である、請求項５１に記載の装置。
【請求項５３】
前記送信された信号は、前記ＵＥが前記情報を決定することおよび送ることを動的にイネーブルまたはディセーブルにする、請求項５０に記載の装置。
【請求項５４】
前記情報の受信するための前記手段は、前記パケットが前記ＵＥにおいて正常に復号された場合に動的にディセーブルにされる、請求項４４に記載の装置。
【請求項５５】
前記情報は、肯定応答／否定応答（ＡＣＫ／ＮＡＣＫ）フィードバックを受信するために割り振られたアップリンク時間周波数リソース上で受信される、請求項４４に記載の装置。
【請求項５６】
前記情報は、サブバンドのために構成された通常ＣＱＩ報告に加えて受信される、請求項４４に記載の装置。
【請求項５７】
基地局からパケットを受信することと、前記パケットは第１の変調およびコーディング方式（ＭＣＳ）を有し、
前記基地局に与えるべき情報を決定することと、ここで、前記情報は、前記受信されたパケットのために割り振られた時間周波数リソースに対応するチャネル状態または干渉状態のうちの少なくとも１つに関係するチャネル品質情報（ＣＱＩ）を備え、
前記基地局に前記情報を送ることと、
を行うように構成された少なくとも１つの処理システム、
を備える、ワイヤレス通信のための装置。
【請求項５８】
前記少なくとも１つの処理システムは、前記パケットを復号することを試みるようにさらに構成された、請求項５７に記載の装置。
【請求項５９】
前記少なくとも１つの処理システムは、前記復号の試み中に前記パケットの全体が復号されたとき、前記基地局に肯定応答（ＡＣＫ）を送るようにさらに構成された、請求項５８に記載の装置。
【請求項６０】
前記少なくとも１つの処理システムは、前記復号の試み中に前記パケットの全体が復号されないとき、前記基地局に否定応答（ＮＡＣＫ）を送るようにさらに構成された、請求項５８に記載の装置。
【請求項６１】
前記情報は、前記復号の試み中に復号された前記パケットの量をさらに備える、請求項６０に記載の装置。
【請求項６２】
前記少なくとも１つの処理システムは、前記基地局から前記パケットを再受信するようにさらに構成され、前記再受信されたパケットは、前記基地局に送られた前記情報に従って第２のＭＣＳを有する、請求項５７に記載の装置。
【請求項６３】
前記情報は、前記パケットまたは前に受信されたパケットが受信された１つまたは複数の時間周波数リソースに関係する、請求項５７に記載の装置。
【請求項６４】
前記情報は、干渉が予想される１つまたは複数のサブフレームに関係する、請求項５７に記載の装置。
【請求項６５】
前記少なくとも１つの処理システムは、前記情報を決定することおよび前記情報を送ることをイネーブルまたはディセーブルにするための信号を、前記基地局から受信するようにさらに構成された、請求項５７に記載の装置。
【請求項６６】
前記信号はユーザ機器（ＵＥ）固有信号またはセル固有信号のうちの少なくとも１つである、請求項６５に記載の装置。
【請求項６７】
前記ＵＥ固有信号はダウンリンク許可である、請求項６６に記載の装置。
【請求項６８】
前記受信された信号は、前記情報を決定することおよび前記情報を送ることを動的にイネーブルまたはディセーブルにする、請求項６５に記載の装置。
【請求項６９】
前記情報を送るように構成された前記少なくとも１つの処理システムは、前記パケットが正常に復号された場合に動的にディセーブルにされる、請求項５８に記載の装置。
【請求項７０】
前記情報は、肯定応答／否定応答（ＡＣＫ／ＮＡＣＫ）フィードバックを送るために割り振られたアップリンク時間周波数リソース上で前記基地局に送られる、請求項５７に記載の装置。
【請求項７１】
前記情報は、サブバンドのために構成された通常ＣＱＩ報告に加えて送られる、請求項５７に記載の装置。
【請求項７２】
ユーザ機器（ＵＥ）にパケットを送信することと、前記パケットは第１の変調およびコーディング方式（ＭＣＳ）を有し、
前記ＵＥから情報を受信することと、ここで、前記情報は、前記送信されたパケットのために割り振られた時間周波数リソースに対応するチャネル状態または干渉状態のうちの少なくとも１つに関係するチャネル品質情報（ＣＱＩ）を備え、
前記受信された情報に従って第２のＭＣＳを有するように前記パケットを最適化することと、
前記ＵＥに前記最適化されたパケットを再送信することと、
を行うように構成された少なくとも１つの処理システム、
を備える、ワイヤレス通信のための装置。
【請求項７３】
前記情報は、前記ＵＥにおいて復号された前記パケットの量をさらに備える、請求項７２に記載の装置。
【請求項７４】
前記少なくとも１つの処理システムは、前記パケットの全体が前記ＵＥにおいて復号されたとき、前記ＵＥから肯定応答（ＡＣＫ）を受信するようにさらに構成された、請求項７２に記載の装置。
【請求項７５】
前記少なくとも１つの処理システムは、前記パケットの全体が前記ＵＥにおいて復号されないとき、前記ＵＥから否定応答（ＮＡＣＫ）を受信するようにさらに構成された、請求項７２に記載の装置。
【請求項７６】
前記情報は、前記パケットまたは前に送信されたパケットが送信された１つまたは複数の時間周波数リソースに関係する、請求項７２に記載の装置。
【請求項７７】
前記情報は、干渉が前記ＵＥにおいて予想される１つまたは複数のサブフレームに関係する、請求項７２に記載の装置。
【請求項７８】
前記少なくとも１つの処理システムは、前記ＵＥが前記情報を決定することおよび送ることをイネーブルまたはディセーブルにするための信号を前記ＵＥに送信するようにさらに構成された、請求項７２に記載の装置。
【請求項７９】
前記信号はＵＥ固有信号またはセル固有信号のうちの少なくとも１つである、請求項７８に記載の装置。
【請求項８０】
前記ＵＥ固有信号はダウンリンク許可である、請求項７９に記載の装置。
【請求項８１】
前記送信された信号は、前記ＵＥが前記情報を決定することおよび送ることを動的にイネーブルまたはディセーブルにする、請求項７８に記載の装置。
【請求項８２】
前記情報を受信するように構成された前記少なくとも１つの処理システムは、前記パケットが前記ＵＥにおいて正常に復号された場合に動的にディセーブルにされる、請求項７２に記載の装置。
【請求項８３】
前記情報は、肯定応答／否定応答（ＡＣＫ／ＮＡＣＫ）フィードバックを受信するために割り振られたアップリンク時間周波数リソース上で受信される、請求項７２に記載の装置。
【請求項８４】
前記情報は、サブバンドのために構成された通常ＣＱＩ報告に加えて受信される、請求項７２に記載の装置。
【請求項８５】
基地局からパケットを受信することと、前記パケットは第１の変調およびコーディング方式（ＭＣＳ）を有し、
前記基地局に与えるべき情報を決定することと、ここで、前記情報は、前記受信されたパケットのために割り振られた時間周波数リソースに対応するチャネル状態または干渉状態のうちの少なくとも１つに関係するチャネル品質情報（ＣＱＩ）を備え、
前記基地局に前記情報を送ることと、
を行うためのコードを備えるコンピュータ可読媒体を備える、コンピュータプログラム製品。
【請求項８６】
ユーザ機器（ＵＥ）にパケットを送信することと、前記パケットは第１の変調およびコーディング方式（ＭＣＳ）を有し、
前記ＵＥから情報を受信することと、ここで、前記情報は、前記送信されたパケットのために割り振られた時間周波数リソースに対応するチャネル状態または干渉状態のうちの少なくとも１つに関係するチャネル品質情報（ＣＱＩ）を備え、
前記受信された情報に従って第２のＭＣＳを有するように前記パケットを最適化することと、
前記ＵＥに前記最適化されたパケットを再送信することと、
を行うためのコードを備えるコンピュータ可読媒体を備えるコンピュータプログラム製品。
【発明の詳細な説明】
【優先権の主著】
【０００１】
関連出願の相互参照
本出願は、その全体が参照により本明細書に明確に組み込まれる、２０１２年５月２５日に出願された「FEEDBACK TO ENHANCE RATE PREDICTION WITH BURSTY INTERFERENCE」と題する米国仮出願第６１／６５１，８７９号、および２０１３年５月２０日に出願された「FEEDBACK TO ENHANCE RATE PREDICTION WITH BURSTY INTERFERENCE」と題する米国特許出願第１３／８９８，３９８号の利益を主張する。
【技術分野】
【０００２】
本開示は、一般に通信システムに関し、より詳細には、バースト的干渉の存在下でのレート予測を向上させるためのフィードバックを与えることに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]基地局から送信されたパケットを完全に復号するユーザ機器（ＵＥ）は、基地局に肯定応答（ＡＣＫ）を送り得る。ＵＥは、パケットを完全には復号することが可能でないことがあり、基地局に否定応答（ＮＡＣＫ）を送り得る。ＡＣＫ／ＮＡＣＫに基づいて、基地局は、ＵＥが送信されたパケットを完全に復号したかどうかについて通知され、それに応じてパケットを再送信し得る。しかしながら、ＵＥがパケットを完全には復号することができないとき、ＮＡＣＫが基地局によって受信され得るが、基地局は、パケットを完全に復号するためにＵＥによって必要とされる特定の追加情報に依然として気づいていない。したがって、基地局は、パケットを完全に復号するためにＵＥによって必要とされる追加情報について通知され得る。
【０００６】
[0006]本開示の一態様では、ワイヤレス通信のための方法、装置、およびコンピュータプログラム製品が提供される。本装置は、基地局から、第１の変調およびコーディング方式（ＭＣＳ：modulation and coding scheme）を有するパケットを受信し、該基地局に与えるべき情報を決定し、ここで、該情報は、受信されたパケットのために割り当てられた時間周波数リソースに対応するチャネル状態および／または干渉状態に関係するチャネル品質情報（ＣＱＩ：channel quality information）を備え、該情報を該基地局に送る。その後、ＮＡＣＫが該基地局に送られた場合、本装置は該基地局からパ該ケットを再受信し、再受信されたパケットは、場合によっては、該基地局に送られた該情報に従って第２のＭＣＳを有する。
【０００７】
[0007]本開示の別の態様では、本装置は、ＵＥにパケットを送信し、パケットは第１の変調およびコーディング方式（ＭＣＳ）を有し、該ＵＥから情報を受信する。ここで、該情報は、送信されたパケットのために割り当てられた時間周波数リソースに対応するチャネル状態および／または干渉状態に関係するチャネル品質情報（ＣＱＩ）を備える。その後、ＮＡＣＫが該ＵＥから受信された場合、本装置は、受信された情報に従う第２のＭＣＳを有するようにパケットを最適化し、該ＵＥに最適化されたパケットを再送信し得る。
【図面の簡単な説明】
【０００８】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】異種ネットワーク中の範囲拡大セルラー領域を示す図。
【図８】ワイヤレス通信の方法のフローチャート。
【図９】ワイヤレス通信の方法のフローチャート。
【図１０】例示的な装置中の異なるモジュール／手段／構成要素間のデータフローを示す概念データフロー図。
【図１１】例示的な装置中の異なるモジュール／手段／構成要素間のデータフローを示す概念データフロー図。
【図１２】処理システムを採用する装置のためのハードウェア実装形態の一例を示す図。
【図１３】処理システムを採用する装置のためのハードウェア実装形態の一例を示す図。
【発明を実施するための形態】
【０００９】
[0021]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１０】
[0022]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１１】
[0023]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0024]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザで光学的に再生する。上記の組合せもコンピュータ可読媒体の範囲内に含めるべきである。
【００１３】
[0025]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００１４】
[0026]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１５】
[0027]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割当てならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１６】
[0028]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用され得る。
【００１７】
[0029]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態と、を採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１８】
[0030]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１９】
[0031]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２０】
[0032]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２１】
[0033]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２２】
[0034]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２３】
[0035]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２４】
[0036]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２５】
[0037]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２６】
[0038]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２７】
[0039]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２８】
[0040]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２９】
[0041]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３０】
[0042]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３１】
[0043]ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３２】
[0044]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３３】
[0045]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３４】
[0046]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３５】
[0047]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３６】
[0048]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３７】
[0049]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉コーディネーション（enhanced inter-cell interference coordination）を通じて、およびＵＥ７２０によって実行される干渉消去（interference cancelation）を通して、セルラー領域７０２から拡大された範囲拡大セルラー領域７０３を有し得る。拡張セル間干渉コーディネーションにおいて、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることができる。
【００３８】
[0050]ＵＥへの送信をスケジュールするために、ｅＮＢは、どんなレート（たとえば、変調およびコーディング方式（ＭＣＳ）／ランク）で送信をスケジュールすべきかを予測する。最適選定は、現在のチャネル状態および干渉状態に依存し得る。予測プロセスを助けるために、ｅＮＢは、ランク、チャネル品質情報（ＣＱＩ）などの情報を報告することをＵＥに要求し得る。これは、どんなレートでＵＥへの送信をスケジュールすべきかについてのアイデアをｅＮＢに与える。
【００３９】
[0051]典型的なｅＮＢ動作は、ＵＥから（たとえば、ＣＱＩ報告を介して）サポートされ得る信号対雑音比（ＳＮＲ）に関するフィードバックを取得することと、ＳＮＲにバックオフを適用することと、バックオフが適用された後に、ＭＣＳを選択することとに関与し得る。ｅＮＢは、送信の１０％が第１の送信に失敗することを許すことなど、ＨＡＲＱ終了ターゲットを設定し得る。ターゲットを達成するために、あらゆる成功した送信について、ｅＮＢはバックオフをＸｄＢだけ減少させ得、あらゆる失敗した送信について、ｅＮＢはバックオフを１０ＸｄＢだけ増加させ得、ここにおいて、Ｘはバックオフステップサイズである。ｅＮＢは、ＵＥからのＡＣＫ／ＮＡＣＫフィードバックを介して送信成功／失敗について学習し得る。
【００４０】
[0052]上記で説明した手法は、干渉プロファイルがほぼ安定しており、レート予測ループ（rate prediction loop）が主にチャネル状態の変動に対処するシナリオではうまく動作する。しかしながら、バースト的干渉が存在するとき、性能は著しく劣化させられ得る。たとえば、干渉によりＳＮＲが２つの値ＡとＢと（Ａ＞Ｂ）の間で変動するシナリオが考えられ得る。干渉プロファイルがｅＮＢにおいて知られている場合、Ｃ（Ａ）Ｆ（Ａ）＋Ｃ（Ｂ）Ｆ（Ｂ）に近いレートが達成され得、ここで、Ｃ（ｘ）およびＦ（ｘ）は、それぞれｘのＳＮＲに対応する容量および周波数である。容量はＳＮＲの増加関数であり得る。レート予測ループを使用して、干渉プロファイルがｅＮＢにおいて知られていない場合、レートＣ（Ｂ）を上回って送信することは、平均して、ＨＡＲＱ終了ターゲットよりも高い少なくともＦ（Ｂ）の誤り率をもたらし得るので、達成されるレートは、ただＣ（Ｂ）に近くなり得る。
【００４１】
[0053]バースト的干渉が（ｅＮＢによって前に知られている）サブフレームのサブセットのみに影響を及ぼすシナリオでは、干渉を経験しないサブフレームと干渉を経験するサブフレームとについて別個のＣＱＩと別個のレート予測ループとを有することは、損失を緩和し得る。しかしながら、特にサブフレームのいずれかが干渉を経験し得る場合、またはｅＮＢが干渉を経験し得るサブフレームに気づいていないとき、問題は完全には解決されない。
【００４２】
[0054]一態様では、バースト的干渉が存在するシナリオは、たとえば、１）ＵＥ間干渉、２）範囲拡大を伴う異種ネットワーク、３）部分ローディング、および４）他の技術との共存を含み得る。ＵＥ間干渉を伴うシナリオでは、近隣ＬＴＥ  ＴＤＤキャリアにおける事業者は異なるＴＤＤ構成を使用し得る。事業者のＵＥは、近隣事業者のＵＥが近くにある場合、近隣事業者のアップリンクサブフレームであるダウンリンクサブフレーム上で著しい干渉を経験し得る。干渉は、近隣ＵＥが送信しているかどうかに依存するので、干渉はバースト的であり得る。また、近隣事業者のダウンリンクサブフレームは影響を受けないので、干渉はサブフレームのサブセットにのみ影響を及ぼし得る。ｅＮＢは、ｅＮＢが近隣事業者のＴＤＤ構成に気づいている場合、干渉を経験し得るサブフレームと、干渉を経験し得ないサブフレームについて知り得る。
【００４３】
[0055]範囲拡大を伴う異種ネットワークに関与するシナリオでは、いくつかのサブフレームがマクロセルによってクリアされ、範囲拡大のためにピコセルが使用するために排他的に予約される。他のサブフレームは、マクロセルによって使用されることも使用されないこともあり、したがって、ピコセルＵＥについてバースト的干渉を生じる。ここで、ピコセルはクリーンサブフレームに気づいていることがある。レート予測拡張は、非クリーンサブフレーム上での性能を改善するのを助け得る。
【００４４】
[0056]部分ローディングを伴うシナリオでは、近隣セルは、ＵＥダウンリンクトラフィックが低いとき、ＵＥのダウンリンクサブフレームを時々使用し得る。したがって、ＵＥは、近隣セルがアクティブであるときに高干渉を経験し、近隣セルが非アクティブであるときに低干渉を経験し得る。
【００４５】
[0057]他の技術との共存を伴うシナリオでは、ＵＥは、たとえば、Ｂｌｕｅｔｏｏｔｈ（登録商標）、ＬＴＥ、およびＷｉ−Ｆｉなど、複数の機能を有し得る。その上、これらの機能のすべては同時にアクティブであり得る。したがって、異なる技術をまたぐアクティブな複数の機能は、互いとの干渉を生じ得る。干渉は各技術のトラフィック状態に依存するので、干渉はバースト的であり得る。
【００４６】
[0058]一態様では、ＵＥがｅＮＢからパケットを受信すると、ＵＥは、ｅＮＢによってパケットについて決定されたＭＣＳに基づいてＵＥがパケットを完全に復号したとき、ｅＮＢに肯定応答（ＡＣＫ）を送り得る。ＵＥがパケットを完全には復号することが可能でないとき、ＵＥはｅＮＢに否定応答（ＮＡＣＫ）を送り得る。ＡＣＫまたはＮＡＣＫに基づいて、ｅＮＢは、ＵＥが送信されたパケットを完全に復号したかどうかについて通知され、それに応じてパケットを再送信し得る。しかしながら、ＡＣＫ／ＮＡＣＫがｅＮＢによって受信され得るが、ＵＥが、送信されたパケットを完全には復号しないとき、ｅＮＢは、パケットを完全に復号するためにＵＥによって必要とされる特定の追加情報に依然として気づいていない。したがって、ｅＮＢから送信されたパケットを復号するためにＵＥによって必要とされる追加情報についてｅＮＢに通知するための機構が望まれる。
【００４７】
[0059]ｅＮＢに報告される追加情報は、現在送信されるパケットまたは前に送信されたパケットに関係するチャネル状態および／または干渉状態（たとえば、ＳＮＲ）であり得る。代替的に、ｅＮＢに報告される追加情報は、復号する初期試み中に復号されるパケットの量であり得る。ｅＮＢがＵＥから追加情報を受信すると、ｅＮＢは、受信された情報に従ってパケットに異なるＭＣＳを割り当てることによってパケットを最適化し得る。その後、ｅＮＢは、最適化されたパケットをＵＥに再送信し得る。
【００４８】
[0060]一態様では、ｅＮＢに報告される追加情報はデータＣＱＩ（ＤＣＱＩ）と呼ばれることがある。したがって、ＵＥは、ＡＣＫ／ＮＡＣＫに加えて、割り振られたデータに対応するＤＣＱＩを報告し得る。ＤＣＱＩ報告は、データが割り振られるリソースブロックに対応し得、データ送信のために使用される方式に対応し得る。ＤＣＱＩは、異なるコードブロックによって経験される最悪のＣＱＩに対応し得る。ＤＣＱＩは、ＵＥ固有シグナリングを使用してＵＥごとに構成され得るか、またはセル固有シグナリングを使用して１つのセルについてイネーブルされ得る。ＤＣＱＩ報告は、バースト的干渉を経験しているか、または経験することを予想しているＵＥについてイネーブルにされ得る。ＤＣＱＩは、ＲＲＣ構成メッセージによってイネーブル／ディセーブルにされるか、またはダウンリンク許可中に含められることによってより動的にイネーブルにされ得る。ＤＣＱＩは、パケットが完全には復号されないときにトリガされ得る。そうではなく、完全に復号された場合、ＡＣＫが送られ得る。ＤＣＱＩの送信は、ダウンリンクサブフレームのサブセット（たとえば、バースト的干渉を経験する可能性があるサブフレームか、またはデュアルＣＱＩとともに使用されるサブフレームのセットのうちの１つ）に限定され得る。ダウンリンクサブフレームに対応するＤＣＱＩは、ＡＣＫを送るために使用されたであろうアップリンクサブフレーム上で送られ得る。ＤＣＱＩ報告は、デュアルＣＱＩ報告／通常ＣＱＩ報告に加えて送られ得る。その上、１つのＤＣＱＩ報告は、複数のサブフレームについて送られ得る。
【００４９】
[0061]一態様では、ＤＣＱＩ報告は通常ＣＱＩ報告とは異なる。たとえば、通常ＣＱＩは、概してＵＥから、周期的に、またはｅＮＢによって決定されたスケジュールに従って非周期的に、のいずれかで送信される。対照的に、ＤＣＱＩは、ｅＮＢがＵＥにパケットを送信したとき、およびＵＥがパケットを完全には復号することができなかったとき、ＵＥから動的に送信され得る。別の例では、通常ＣＱＩはｅＮＢによって開始され得る。すなわち、ＵＥは、ｅＮＢがそのような報告を要求した後にのみ、ｅＮＢに通常ＣＱＩ報告を送る。対照的に、ＵＥは、ｅＮＢからパケットを受信すると直ちにＤＣＱＩ報告を生成し、ｅＮＢに送り得る。
【００５０】
[0062]ＤＣＱＩ報告と通常ＣＱＩ報告との間の相違のさらなる例では、通常ＣＱＩは、「ワイドバンド」（たとえば、１つのＣＱＩ値が帯域幅全体に対し報告される）、または「サブバンド」（たとえば、ＵＥは、帯域幅全体に対して１つのＣＱＩ値を報告し、各サブバンドに対して１つのＣＱＩ値を報告する）のいずれかとして構成され得る。サブバンドＣＱＩ値が報告される特定のサブバンドは、システム帯域幅と、サブバンドＣＱＩモードがｅＮＢによって構成されるのか（すなわち、「ｅＮＢ構成」）またはＵＥによって選択されるのか（すなわち、「ＵＥ選択」）と、に依存し得る。したがって、通常ＣＱＩ報告は、現在のＰＤＳＣＨ送信のために割り振られた実際のリソースブロックに特有でないことがある。一方、ＤＣＱＩは、現在使用されている実際のリソースブロックに特有とされ得る。
【００５１】
[0063]例示的な動作では、いくつかのサブフレームがバースト的干渉を経験せず（すなわち、良好なサブフレーム）、いくつかのサブフレームがバースト的干渉を経験し（すなわち、不良サブフレーム）、デュアルＣＱＩ報告が利用されるシナリオが考えられ得る。ここで、ｅＮＢは、良好なサブフレームに対応するレートでパケットを送り得る。受信時に、ＵＥは、パケットを復号することを試み得る。パケットが完全に復号された場合、ＵＥはｅＮＢにＡＣＫを送る。パケットが完全には復号されない場合、パケットに関して経験される実際の干渉に基づいて、ＵＥは、パケットを完全に復号するためにどのくらいの追加情報が必要とされるかを決定することができる。ＵＥは、次いでｅＮＢに追加情報を搬送し得る。その後、ｅＮＢは、パケットの再送信を、追加情報に従ってまさに必要なものに最適化し得る。特に、ｅＮＢは、送信されたパケットに関係する干渉プロファイルに気づかされるので、上記で説明した動作は、ｅＮＢがレート予測ループを使用することをより容易にする。
【００５２】
[0064]さらなる態様では、干渉によりパケットがほとんど完全に失われることになるバースト的干渉を伴うシナリオでは、ＵＥは、ｅＮＢにパケット送信が完全に失われた（たとえば、アップリンク上の間欠送信（ＤＴＸ））と信じさせ得る。ここで、ＵＥは、アップリンク上でＡＣＫまたはＮＡＣＫを送らない。したがって、ｅＮＢは、ＡＣＫもＮＡＣＫも送られなかったと決定し得、ＰＤＣＣＨがＵＥによって復号されず、したがって、ダウンリンク送信全体が失われたと仮定することになる。これにより、ｅＮＢは、制御チャネルのためにレート制御ループを更新し／電力制御を変更し得る。外部ループ調整は、スポラディック（sporadic）干渉のために行われないことがある。
【００５３】
[0065]別の態様では、高干渉が特定のサブフレーム上で観測されたことをｅＮＢに示す信号がＵＥから送られ得る。ｅＮＢは、次いで、そのようなサブフレームのための外部ループ調整を回避し得る。さらに、バースト的干渉による問題を緩和するのを助けるために、干渉プロファイル（たとえば、時間／周波数選択性、干渉レベルなど）を示す信号がＵＥからｅＮＢに送られ得る。
【００５４】
[0066]図８は、ワイヤレス通信の方法のフローチャート８００である。本方法はＵＥによって実行され得る。ステップ８０２において、ＵＥは基地局からパケットを受信する。パケットは、基地局によって決定された第１の変調およびコーディング方式（ＭＣＳ）を有し得る。
【００５５】
[0067]ステップ８０４において、ＵＥは、基地局に与えるべき情報を決定する。情報は、受信されたパケットのために割り振られた時間周波数リソースに対応するチャネル状態および／または干渉状態に関係するチャネル品質情報（ＣＱＩ）を含み得る。その上、情報は、ＵＥがパケットまたは前に受信されたパケットを受信する１つまたは複数の時間周波数リソースに関係し得る。情報はまた、ＵＥが干渉を予想する１つまたは複数のサブフレームに関係し得る。
【００５６】
[0068]ステップ８０６において、ＵＥは、ステップ８０２において受信されたパケットを復号することを試みる。ステップ８０８において、ＵＥは、パケットの全体が復号され得るかどうかを決定する。パケットの全体が正常に復号された場合、ＵＥはステップ８１０に進み得、基地局にＡＣＫを送る。一態様では、パケットの全体が正常に復号された場合、（以下で説明する）ステップ８１８において実行される情報の送信は動的に無効にされ得る。
【００５７】
[0069]ステップ８１２において、復号する試み中にパケットの全体が復号されないとき、ＵＥは基地局にＮＡＣＫを送る。したがって、基地局に送られるべき情報は、復号する試み中に復号されるパケットの量をさらに含み得る。その後、ＵＥはステップ８１４およびステップ８１６に進み得る。
【００５８】
[0070]ステップ８１４において、ＵＥが基地局にＮＡＣＫを送ったとき、ＵＥは基地局からパケットを再受信する。再受信されたパケットは、（以下で説明する）ステップ８１８において基地局に送られた情報に従って決定される第２のＭＣＳを有し得る。
【００５９】
[0071]ステップ８１６において、ＵＥがＡＣＫ（ステップ８１０）またはＮＡＣＫ（ステップ８１２）を送った後、ＵＥは、ＵＥが情報を送ることをイネーブル／ディセーブルにするための信号が基地局から受信されたかどうかを決定する。信号はＵＥ固有信号（たとえば、ダウンリンク許可）および／またはセル固有信号であり得る。一態様では、信号は、情報の送ることを動的にイネーブルにするイネーブル化信号であり得る。代替的に、信号は、情報の送ることを動的にディセーブルにするディセーブル化信号であり得る。情報の送ることをイネーブルにするための信号が受信されなかった場合、または情報の送ることをディセーブルにするための信号が受信された場合、ＵＥは動作を終了し得る。しかしながら、情報の送ることをイネーブルにするための信号が受信された場合、ＵＥはステップ８１８に進み得る。本方法によれば、ステップ８１６はオプションであり得る。したがって、ＵＥは、ステップ８１６を実行することなしに、ステップ８１０または８１２から直接ステップ８０６に進み得る。
【００６０】
[0072]ステップ８１８において、ＵＥは基地局に情報を送る。情報は、肯定応答／否定応答（ＡＣＫ／ＮＡＣＫ）フィードバックを送るために割り振られたアップリンク時間周波数リソース上で基地局に送られ得る。情報は、１つのサブバンドのために構成された１つの通常ＣＱＩ報告に加えて送られ得る。基地局はＭＣＳ決定／レート予測のために情報を使用し得る。
【００６１】
[0073]図９は、ワイヤレス通信の方法のフローチャート９００である。本方法はｅＮＢによって実行され得る。ステップ９０２において、ｅＮＢはユーザ機器（ＵＥ）にパケットを送信する。パケットは、ｅＮＢによって決定された第１の変調およびコーディング方式（ＭＣＳ）を有し得る。ステップ９１２において、ＵＥが送信されたパケットの全体を復号した場合、ｅＮＢはＵＥからＡＣＫを受信する。代替的に、ＵＥが送信されたパケットの全体を復号しない場合、ｅＮＢはＵＥからＮＡＣＫを受信し得る。
【００６２】
[0074]ステップ９０４において、ｅＮＢはＵＥに信号を送信する。ここで、信号は、ＵＥがｅＮＢに与えるべき情報を決定することをイネーブルにし得る。信号はＵＥ固有信号（たとえば、ダウンリンク許可）またはセル固有信号であり得る。一態様では、信号は、ＵＥが情報を決定し、および／または送ることを動的にイネーブルにするイネーブル化信号であり得る。代替的に、信号は、ＵＥが情報を決定し、および／または送ることを動的にディセーブルにするディセーブル化信号であり得る。本方法によれば、ステップ９０４はオプションであり得る。したがって、ｅＮＢは、ステップ９０４を実行することなしに、ステップ９０２から直接ステップ９０６に進み得る。
【００６３】
[0075]ステップ９０６において、ｅＮＢはＵＥから情報を受信する。情報は、ＡＣＫ／ＮＡＣＫフィードバックを受信するために割り振られたアップリンク時間周波数リソース上で受信され得る。その上、情報は、１つのサブバンドのために構成された１つの通常ＣＱＩ報告に加えて受信され得る。一態様では、送信されたパケットがＵＥにおいて正常に復号された場合、ｅＮＢは情報の受信を動的にディセーブルにし得る。
【００６４】
[0076]情報はＭＣＳ決定／レート予測のためにｅＮＢによって使用され得る。情報は、送信されたパケットのために割り振られた時間周波数リソースに対応するチャネル状態および／または干渉状態に関係するチャネル品質情報（ＣＱＩ）を含み得る。情報はまた、ＵＥにおいて復号されるパケットの量を含み得る。情報は、パケットまたは前に送信されたパケットが送信された１つまたは複数の時間周波数リソースに関係し得る。情報はまた、ＵＥにおいて干渉が予想される１つまたは複数のサブフレームに関係し得る。
【００６５】
[0077]一態様では、ｅＮＢは、パケットの全体がＵＥにおいて復号されたとき、ＵＥから情報を受信し得る。情報は、ステップ９１２において受信されたＡＣＫに加えて、またはそれの代わりに受信され得る。情報はＭＣＳ決定／レート予測のためにｅＮＢによって使用され得る。その後、ｅＮＢはステップ９１４に進む。
【００６６】
[0078]ステップ９１４において、ｅＮＢは、ＡＣＫまたはＮＡＣＫがＵＥから受信されたかどうかを決定する。ＡＣＫが受信された場合、ｅＮＢは動作を終了し得る。しかしながら、ＮＡＣＫが受信された場合、ｅＮＢはステップ９０８に進み得る。ステップ９０８において、ｅＮＢは、ＵＥから受信された情報に従う第２のＭＣＳを有するようにパケットを最適化する。その後、ステップ９１０において、ｅＮＢは、ＵＥに最適化されたパケットを再送信する。
【００６７】
[0079]図１０は、例示的な装置１００２中の異なるモジュール／手段／構成要素間のデータフローを示す概念データフロー図１０００である。本装置はＵＥであり得る。本装置は、受信モジュール１００４と、パケット復号モジュール１００６と、情報決定モジュール１００８と、ＡＣＫ／ＮＡＣＫモジュール１０１０と、送信モジュール１０１２とを含む。
【００６８】
[0080]受信モジュール１００４は基地局１０５０からパケットを受信し得る。パケットは、基地局１０５０によって決定された第１の変調およびコーディング方式（ＭＣＳ）を有し得る。
【００６９】
[0081]情報決定モジュール１００８は、基地局１０５０に与えるべき情報を決定し得る。情報は、受信されたパケットのために割り振られた時間周波数リソースに対応するチャネル状態および／または干渉状態に関係するチャネル品質情報（ＣＱＩ）を含み得る。その上、情報は、受信モジュール１００４がパケットまたは前に受信されたパケットを受信する１つまたは複数の時間周波数リソースに関係し得る。情報はまた、受信モジュール１００４が干渉を予想する１つまたは複数のサブフレームに関係し得る。
【００７０】
[0082]パケット復号モジュール１００６は、受信モジュール１００４によって受信されたパケットを復号することを試み得る。パケット復号モジュール１００６は、パケットの全体が復号され得るかどうかを決定し得る。パケットの全体が正常に復号された場合、ＡＣＫ／ＮＡＣＫモジュール１０１０は（送信モジュール１０１２を介して）基地局１０５０にＡＣＫを送り得る。その上、パケットの全体が正常に復号された場合、情報決定モジュール１００８は、基地局１０５０に決定された情報を送ることを動的にディセーブルにされ得る。
【００７１】
[0083]復号する試み中にパケットの全体がパケット復号モジュール１００６によって復号されないとき、ＡＣＫ／ＮＡＣＫモジュール１０１０は基地局１０５０にＮＡＣＫを送り得る。したがって、基地局１０５０に送られるべき情報は、復号する試み中に復号されたパケットの量をさらに含み得る。
【００７２】
[0084]ＡＣＫ／ＮＡＣＫモジュール１０１０が基地局１０５０にＮＡＣＫを送ったとき、受信モジュール１００４は基地局１０５０からパケットを再受信し得る。再受信されたパケットは、情報決定モジュール１００８によって基地局１０５０に送られた情報に従って決定される第２のＭＣＳを有し得る。
【００７３】
[0085]ＡＣＫ／ＮＡＣＫモジュール１０１０が基地局１０５０にＡＣＫまたはＮＡＣＫを送った後、情報決定モジュール１００８は、情報決定モジュール１００８が（送信モジュール１０１２を介して）情報を決定し、および／または送ることをイネーブル／ディセーブルにするための信号が（受信モジュール１００４を介して）基地局１０５０から受信されたかどうかを決定し得る。信号はＵＥ固有信号（たとえば、ダウンリンク許可）および／またはセル固有信号であり得る。一態様では、信号は、情報の決定することおよび／または送ることを動的にイネーブルにするイネーブル化信号であり得る。代替的に、信号は、情報の決定することおよび／または送ることを動的にディセーブルにするディセーブル化信号であり得る。情報の送ることをイネーブルにするための信号が受信されなかった場合、または情報の送ることをディセーブルにするための信号が受信された場合、情報決定モジュール１００８は動作を終了し得る。しかしながら、情報の送ることをイネーブルにするための信号が受信された場合、情報決定モジュール１００８は動作を進め得る。一態様では、情報決定モジュール１００８は、情報決定および／または送ることをイネーブル／ディセーブルにするための信号が受信されたかどうかを決定しないことを選択し得る。したがって、情報決定モジュール１００８は、ＡＣＫ／ＮＡＣＫモジュール１０１０が基地局１０５０にＡＣＫまたはＮＡＣＫを送った後、情報を送ることを進め得る。
【００７４】
[0086]情報決定モジュール１００８は、（送信モジュール１０１２を介して）基地局１０５０に情報を送る。情報は、ＡＣＫ／ＮＡＣＫフィードバックを送るために割り振られたアップリンク時間周波数リソース上で基地局１０５０に送られ得る。情報は、１つのサブバンドのために構成された１つの通常ＣＱＩ報告に加えて送られ得る。基地局１０５０はＭＣＳ決定／レート予測のために情報を使用し得る。
【００７５】
[0087]本装置は、図８の上述のフローチャート中のアルゴリズムのステップの各々を実行する追加のモジュールを含み得る。したがって、図８の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７６】
[0088]図１１は、例示的な装置１１０２中の異なるモジュール／手段／構成要素間のデータフローを示す概念データフロー図１１００である。本装置はｅＮＢであり得る。本装置は、受信モジュール１１０４と、情報処理モジュール１１０６と、パケット処理モジュール１１０８と、情報決定イネーブル化／ディセーブル化モジュール１１１０と、送信モジュール１１１２とを含む。
【００７７】
[0089]パケット処理モジュール１１０８はＵＥ１１５０にパケットを送信し得る。パケットは、パケット処理モジュール１１０８によって決定された第１の変調およびコーディング方式（ＭＣＳ）を有し得る。ＵＥ１１５０が、送信されたパケットの全体を復号した場合、パケット処理モジュール１１０８は、（受信モジュール１１０４を介して）ＵＥ１１５０からＡＣＫを受信し得る。代替的に、ＵＥ１１５０が、送信されたパケットの全体を復号しない場合、パケット処理モジュール１１０８は、（受信モジュール１１０４を介して）ＵＥ１１５０からＮＡＣＫを受信し得る。
【００７８】
[0090]情報決定イネーブル化／ディセーブル化モジュール１１１０はＵＥ１１５０に信号を送信し得る。ここで、信号は、ＵＥ１１５０が装置１１０２に与えるべき情報を決定することをイネーブルにし得る。信号はＵＥ固有信号（たとえば、ダウンリンク許可）またはセル固有信号であり得る。一態様では、信号は、ＵＥ１１５０が情報を決定し、および／または送ることを動的にイネーブルにするイネーブル化信号であり得る。代替的に、信号は、ＵＥ１１５０が情報を決定し、および／または送ることを動的にディセーブルにするディセーブル化信号であり得る。一態様では、情報決定イネーブル化／ディセーブル化モジュール１１１０は、情報決定をイネーブル／ディセーブルにするための信号を送らないことを選択し得る。したがって、装置１１０２のモジュールは、信号を送ることなしにさらなる動作を進め得る。
【００７９】
[0091]情報処理モジュール１１０６はＵＥ１１５０から情報を受信する。情報は、ＡＣＫ／ＮＡＣＫフィードバックを受信するために割り振られたアップリンク時間周波数リソース上で受信され得る。その上、情報は、１つのサブバンドのために構成された１つの通常ＣＱＩ報告に加えて受信され得る。一態様では、送信されたパケットがＵＥ１１５０において正常に復号された場合、情報処理モジュール１１０６は情報の受信を動的にディセーブルにし得る。
【００８０】
[0092]情報は、ＭＣＳ決定／レート予測のためにパケット処理モジュール１１０８によって使用され得る。情報は、送信されたパケットのために割り振られた時間周波数リソースに対応するチャネル状態および／または干渉状態に関係するチャネル品質情報（ＣＱＩ）を含み得る。情報はまた、ＵＥ１１５０において復号されたパケットの量を含み得る。情報は、パケットまたは前に送信されたパケットが送信された１つまたは複数の時間周波数リソースに関係し得る。情報はまた、ＵＥ１１５０において干渉が予想される１つまたは複数のサブフレームに関係し得る。
【００８１】
[0093]一態様では、情報処理モジュール１１０６は、パケットの全体がＵＥ１１５０において復号されたとき、ＵＥ１１５０から情報を受信し得る。情報は、パケット処理モジュール１１０８によって受信されたＡＣＫに加えて、またはそれの代わりに受信され得る。情報は、ＭＣＳ決定／レート予測のためにパケット処理モジュール１１０８によって使用され得る。
【００８２】
[0094]パケット処理モジュール１１０８は、ＡＣＫまたはＮＡＣＫがＵＥ１１５０から受信されたかどうかを決定する。ＡＣＫが受信された場合、パケット処理モジュール１１０８は動作を終了し得る。しかしながら、ＮＡＣＫが受信された場合、パケット処理モジュール１１０８は、ＵＥ１１５０から受信された情報に従う第２のＭＣＳを有するようにパケットを最適化する。その後、パケット処理モジュール１１０８は、（送信モジュール１１１２を介して）ＵＥ１１５０に最適化されたパケットを再送信する。
【００８３】
[0095]本装置は、図９の上述のフローチャート中のアルゴリズムのステップの各々を実行する追加のモジュールを含み得る。したがって、図９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８４】
[0096]図１２は、処理システム１２１４を採用する装置１００２’のためのハードウェア実装形態の一例を示す図１２００である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２０４によって表される１つまたは複数のプロセッサおよび／またはハードウェアモジュールと、モジュール１００４、１００６、１００８、１０１０、１０１２と、コンピュータ可読媒体１２０６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００８５】
[0097]処理システム１２１４はトランシーバ１２１０に結合され得る。トランシーバ１２１０は、１つまたは複数のアンテナ１２２０に結合される。トランシーバ１２１０は、伝送媒体を介して様々な他の装置と通信するための手段を与える。トランシーバ１２１０は、１つまたは複数のアンテナ１２２０から信号を受信し、受信した信号から情報を抽出し、抽出された情報を処理システム１２１４、特に受信モジュール１００４に与える。さらに、トランシーバ１２１０は、処理システム１２１４、特に送信モジュール１０１２から情報を受信し、受信した情報に基づいて、１つまたは複数のアンテナ１２２０に適用されるべき信号を生成する。処理システム１２１４は、コンピュータ可読媒体１２０６に結合されたプロセッサ１２０４を含む。プロセッサ１２０４は、コンピュータ可読媒体１２０６に記憶されたソフトウェアの実行を含む一般的な処理を担当する。ソフトウェアは、プロセッサ１２０４によって実行されたとき、処理システム１２１４に、任意の特定の装置のための上記で説明した様々な機能を実行させる。コンピュータ可読媒体１２０６はまた、ソフトウェアを実行するときにプロセッサ１２０４によって操作されるデータを記憶するために使用され得る。処理システムは、モジュール１００４、１００６、１００８、１０１０、および１０１２のうちの少なくとも１つをさらに含む。それらのモジュールは、プロセッサ１２０４中で動作するか、コンピュータ可読媒体１２０６中に常駐する／記憶されたソフトウェアモジュールであるか、プロセッサ１２０４に結合された１つまたは複数のハードウェアモジュールであるか、またはそれらの何らかの組合せであり得る。処理システム１２１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００８６】
[0098]一構成では、ワイヤレス通信のための装置１００２／１００２’は、基地局から、第１の変調およびコーディング方式（ＭＣＳ）を有するパケットを受信するための手段と、基地局に与えるべき情報を決定するための手段と、ここで、情報は、受信されたパケットのために割り振られた時間周波数リソースに対応するチャネル状態および／または干渉状態に関係するチャネル品質情報（ＣＱＩ）を備え、パケットを復号することを試みるための手段と、復号する試み中にパケットの全体が復号されたとき、基地局に肯定応答（ＡＣＫ）を送るための手段と、復号する試み中にパケットの全体が復号されないとき、基地局に否定応答（ＮＡＣＫ）を送るための手段と、ここで、情報は、復号する試み中に復号されたパケットの量をさらに備え、基地局からパケットを再受信するための手段と、ここで、再受信されたパケットは、基地局に送られた情報に従う第２のＭＣＳを有し、基地局から、情報を決定するための手段および送るための手段をイネーブルまたはディセーブルにするための信号を受信するための手段と、を含む。
【００８７】
[0099]上述の手段は、上述の手段によって具陳される機能を実行するように構成された、装置１００２、および／または装置１００２’の処理システム１２１４の上述のモジュールのうちの１つまたは複数であり得る。上記で説明したように、処理システム１２１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００８８】
[0100]図１３は、処理システム１３１４を採用する装置１１０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュールと、モジュール１１０４、１１０６、１１０８、１１１０、１１１２と、コンピュータ可読媒体１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００８９】
[0101]処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信した信号から情報を抽出し、抽出された情報を処理システム１３１４、特に受信モジュール１１０４に与える。さらに、トランシーバ１３１０は、処理システム１３１４、特に送信モジュール１１１２から情報を受信し、受信した情報に基づいて、１つまたは複数のアンテナ１３２０に適用されるべき信号を生成する。処理システム１３１４は、コンピュータ可読媒体１３０６に結合されたプロセッサ１３０４を含む。プロセッサ１３０４はまた、コンピュータ可読媒体１３０６に記憶されたソフトウェアの実行を含む一般的な処理を担当する。ソフトウェアは、プロセッサ１３０４によって実行されたとき、処理システム１３１４に、任意の特定の装置のための上記で説明した様々な機能を実行させる。コンピュータ可読媒体１３０６はまた、ソフトウェアを実行するときにプロセッサ１３０４によって操作されるデータを記憶するために使用され得る。処理システムは、モジュール１１０４、１１０６、１１０８、１１１０、および１１１２のうちの少なくとも１つをさらに含む。それらのモジュールは、プロセッサ１３０４中で動作するか、コンピュータ可読媒体１３０６中に常駐する／記憶されたソフトウェアモジュールであるか、プロセッサ１３０４に結合された１つまたは複数のハードウェアモジュールであるか、またはそれらの何らかの組合せであり得る。処理システム１３１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【００９０】
[0102]一構成では、ワイヤレス通信のための装置１１０２／１１０２’は、ユーザ機器（ＵＥ）に、第１の変調およびコーディング方式（ＭＣＳ）を有するパケットを送信するための手段と、ＵＥから情報を受信するための手段と、ここで、情報は、送信されたパケットのために割り振られた時間周波数リソースに対応するチャネル状態および／または干渉状態に関係するチャネル品質情報（ＣＱＩ）を備え、受信された情報に従う第２のＭＣＳを有するようにパケットを最適化するための手段と、ＵＥに最適化されたパケットを再送信するための手段と、パケットの全体がＵＥにおいて復号されたとき、ＵＥから肯定応答（ＡＣＫ）を受信するための手段と、パケットの全体がＵＥにおいて復号されないとき、ＵＥから否定応答（ＮＡＣＫ）を受信するための手段と、ＵＥが情報を決定することおよび送ることをイネーブルまたはディセーブルにするための信号をＵＥに送信するための手段とを含む。
【００９１】
[0103]上述の手段は、上述の手段によって具陳される機能を実行するように構成された、装置１１０２、および／または装置１１０２’の処理システム１３１４の上述のモジュールのうちの１つまたは複数であり得る。上記で説明したように、処理システム１３１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００９２】
[0104]開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９３】
[0105]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。特に、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。その上、特許請求の範囲中を含む本明細書で使用する「および／または」という用語は、２つ以上の項目のリストにおいて使用されるとき、リストされた項目のうちのいずれか１つがそれだけで採用され得るか、またはリストされた項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることができる。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2015525024.tif 000003
【図２】
2015525024.tif 000004
【図３】
2015525024.tif 000005
【図４】
2015525024.tif 000006
【図５】
2015525024.tif 000007
【図６】
2015525024.tif 000008
【図７】
2015525024.tif 000009
【図８】
2015525024.tif 000010
【図９】
2015525024.tif 000011
【図１０】
2015525024.tif 000012
【図１１】
2015525024.tif 000013
【図１２】
2015525024.tif 000014
【図１３】
2015525024.tif 000015
【国際調査報告】
2015525024.tif 000016
2015525024.tif 000017
2015525024.tif 000018
2015525024.tif 000019
2015525024.tif 000020
2015525024.tif 000021
2015525024.tif 000022